(57)【特許請求の範囲】
【請求項１】
複数の区域に分割された記録領域を有する、該区域にマークが書き込まれることにより情報が記録され、そのマークが読み出されることにより情報が再生される情報記録媒体に書き込まれているマークを読み出すマーク読出部と、
前記マーク読出部がマークの読み出しに失敗した場合に、前記複数の区域のうち、該マーク読出部がマークの読み出しに失敗した失敗区域に隣接する隣接区域に記録されている情報を待避させてから、該隣接区域の記録状態を、その隣接区域に起因するクロストークが低下するように、記録情報の破壊を伴って変更する記録状態変更部とを備え、
前記マーク読出部が、前記失敗区域のマークを、前記記録状態変更部によって前記隣接区域の記録状態が変更された後で再度読み出すものであることを特徴とする情報記憶装置。
【請求項２】
複数の区域に分割された記録領域を有する、該区域にマークが書き込まれることにより情報が記録され、そのマークが読み出されることにより情報が再生される情報記録媒体に書き込まれているマークを読み出すマーク読出部と、
前記マーク読出部がマークの読み出しに失敗した場合に、前記複数の区域のうち、該マーク読出部がマークの読み出しに失敗した失敗区域に隣接する隣接区域の記録状態を、その隣接区域に起因するクロストークが低下するように、該隣接区域に記録されている情報を維持したまま変更する記録状態変更部とを備え、
前記マーク読出部が、前記失敗区域のマークを、前記記録状態変更部によって前記隣接区域の記録状態が変更された後で再度読み出すものであることを特徴とする情報記憶装置。
【請求項３】
前記記録状態変更部が、前記隣接区域に書き込まれたマークを消去するものであることを特徴とする請求項１記載の情報記憶装置。
【請求項４】
前記記録状態変更部が、前記隣接区域に書き込まれたマークに起因するクロストークよりも低いクロストークを生じるマークを該隣接区域に上書きするものであることを特徴とする請求項１または２記載の情報記憶装置。
【請求項５】
前記記録状態変更部が、前記隣接区域に書き込まれたマークよりも長さが短いマークを該隣接区域に上書きするものであることを特徴とする請求項１または２記載の情報記憶装置。
【請求項６】
前記記録状態変更部が、前記隣接区域に書き込まれたマークよりも幅が狭いマークを該隣接区域に上書きするものであることを特徴とする請求項１または２記載の情報記憶装置。
【請求項７】
前記記録状態変更部が、前記隣接区域に記録されている情報を待避させてから該隣接区域の記録状態を変更し、その待避させた情報を、前記マーク読出部によって前記失敗領域のマークが再度読み出された後で該隣接区域に復元するものであることを特徴とする請求項１または２記載の情報記憶装置。
【請求項８】
前記情報記録媒体が、必要に応じて前記区域の代わりに用いられる交代区域を備えたものであり、
前記記録状態変更部が、前記隣接区域の記録状態を変更する前に、該隣接区域に記録されている情報の前記交代区域への待避と、該隣接区域の代わりとして該交代区域を用いることの登録とを行うものであることを特徴とする請求項１または２記載の情報記憶装置。
【請求項９】
複数の区域に分割された記録領域を有する、該区域にマークが書き込まれることにより情報が記録され、そのマークが読み出されることにより情報が再生される情報記録媒体に書き込まれているマークを読み出すマーク読出過程と、
前記マーク読出過程でマークの読み出しに失敗した場合に、前記複数の区域のうち、該マーク読出過程でマークの読み出しに失敗した失敗区域に隣接する隣接区域に記録されている情報を待避させてから、該隣接区域の記録状態を、その隣接区域に起因するクロストークが低下するように、記録情報の破壊を伴って変更する記録状態変更過程と、
前記失敗区域のマークを、前記記録状態変更過程で前記隣接区域の記録状態が変更された後で再度読み出すマーク再読出過程とを含むことを特徴とする情報再生方法。
【請求項１０】
複数の区域に分割された記録領域を有する、該区域にマークが書き込まれることにより情報が記録され、そのマークが読み出されることにより情報が再生される情報記録媒体に書き込まれているマークを読み出すマーク読出過程と、
前記マーク読出過程でマークの読み出しに失敗した場合に、前記複数の区域のうち、該マーク読出過程でマークの読み出しに失敗した失敗区域に隣接する隣接区域の記録状態を、その隣接区域に起因するクロストークが低下するように、該隣接区域に記録されている情報を維持したまま変更する記録状態変更過程と、
前記失敗区域のマークを、前記記録状態変更過程で前記隣接区域の記録状態が変更された後で再度読み出すマーク再読出過程とを含むことを特徴とする情報再生方法。
【発明の詳細な説明】
【０００１】
【発明の属する技術分野】
本発明は、情報記録媒体に記録されている情報を再生する情報記憶装置および情報再生方法に関する。
【０００２】
【従来の技術】
音声データや画像データを記録再生するための高密度な情報記録媒体として光記録媒体や磁気記録媒体などが知られている。このような情報記録媒体には、一般に、螺旋状あるいは同心円状のトラックが設けられ、さらに、それらのトラックが、一般にセクタと称される複数の区域に区切られている。そして、それらのセクタに磁場や熱によってマークを書き込むことによって情報を記録する情報記録装置や、そのマークを磁場や光などによって読み出すことによって情報を再生する情報記憶装置も知られている。
【０００３】
【発明が解決しようとする課題】
ところで、近年のコンピュータ技術の向上に伴って音声データや画像データのデータサイズや使用量が増大しており、情報記録媒体の記録密度の向上が強く望まれている。そして、情報記録媒体の記録密度を大きく向上させるためには、トラックピッチの縮小化が求められている。
【０００４】
トラックピッチを縮小化する技術としては、記録媒体に交互に設けられた溝型のグルーブおよび突条型のランドの双方に情報を記録する、ランド及びグルーブ記録という技術が提案されている。
【０００５】
図１は、ランド及びグルーブ記録が採用された情報記録媒体上のセクタを表す図である。
【０００６】
この図１には、３本のグルーブ１，２，３と、それらのグルーブ１，２，３に対し交互に設けられた２本のランド４，５が示されており、これらのグルーブ１，２，３およびランド４，５の双方がトラックとして用いられ、各トラックには複数のセクタが設けられている。また、これら複数のセクタそれぞれには、セクタ同士を区別する番号が付されている。例えばこの図の３本のグルーブ１，２，３には、それぞれ、第−１０番セクタＳｃｔ−１０、第−９番セクタＳｃｔ−９、第−８番セクタＳｃｔ−８…、第１０番セクタＳｃｔ１０、第１１番セクタＳｃｔ１１、第１２番セクタＳｃｔ１２…、第３０番セクタＳｃｔ３０、第３１番セクタＳｃｔ３１、第３２番セクタＳｃｔ３２…が設けられており、２本のランド４，５には、それぞれ、第０番セクタＳｃｔ０、第１番セクタＳｃｔ１、第２番セクタＳｃｔ２…、および第２０番セクタＳｃｔ２０、第２１番セクタＳｃｔ２１、第２２番セクタＳｃｔ２２…が設けられている。つまり、１トラック内に設けられた各セクタには連番が付され、トラックを横切る方向で互いに隣接するセクタには、互いに１０番違いの番号が付されている。また、セクタに付された番号は、情報記録媒体の中心方向（Ｉｎｎｅｒ方向）へと向かうにつれてが大きくなり、外周方向（Ｏｕｔｅｒ方向）へと向かうにつれて小さくなる。
【０００７】
このように、ランド及びグルーブ記録では、グルーブおよびランドの双方がトラックとして用いられる。このため、例えばランドのみがトラックとして用いられる技術におけるトラックピッチが０．９μｍであるのに対して、ランド及びグルーブ記録におけるトラックピッチは０．６５μｍという大幅に狭いピッチとなり、線記録密度が同じであれば記録密度を大幅に増大させることができ、高密度記録を実現する上で極めて重要な技術である。
【０００８】
ところが、このようなランド及びグルーブ記録などが採用されてトラックピッチが大幅に縮小化されると、あるトラック上のマークを読み出す際に、そのトラックに隣接するトラック上のマークに起因するクロストークによって、マークの読出しが妨げられるという問題が生じる。例えば、図１の第１１セクタＳｃｔ１１に記録されているマークを読み出す際には、第１セクタＳｃｔ１のマークや第２１セクタＳｃｔ２１のマークに起因するクロストークが発生する。
【０００９】
図２は、クロストークの例を示すグラフである。
【００１０】
この図２のグラフの上段には、マークが存在しないイレーズ状態のセクタに対する読出しを行った場合に得られる読出信号の信号波形が示されている。このイレーズ状態のセクタに対して、トラックを横切る方向で隣接するセクタにはマークが書き込まれている。
【００１１】
また、この図２のグラフの下段には、その読出信号のうちの有意な部分を表すゲート信号が示されている。グラフの上段に示された読出信号の信号波形のうち、下段に示されたゲート信号が立ち上がっている時間間隔に対応する部分だけが有意な信号波形である。
【００１２】
読出信号の信号波形には平らな波形とスパイク状の波形が存在し、平らな波形は、イレーズ状態のセクタに起因する信号を表しており、スパイク状の波形は、隣接トラック上のセクタに起因するクロストークを表している。このようなクロストークの信号強度は、読出対象のセクタ上のマークに起因する本来の読出信号との区別が困難な程度に強い場合があり、その場合には、読出対象のセクタにおけるマークの読出しが妨げられる。
【００１３】
上記問題は、ランド及びグルーブ記録が採用された光ディスク装置で特に顕著に生じる問題ではあるが、このような装置に限って生じる問題ではなく、トラックピッチが狭い情報記録媒体の情報を再生する情報記憶装置において一般的に生じる問題である。
【００１４】
本発明は、上記事情に鑑み、トラックピッチが狭くても、クロストークに妨げられることなくマークを読み出すことができる情報記憶装置および情報再生方法を提供することを目的とする。
【００１５】
本発明の技術が用いられると、トラックピッチの縮小化が図られた場合であってもマークの読出しが正常に行われるため、情報記録媒体の高密度化を大きく前進させることができる。
【００１６】
【課題を解決するための手段】
上記目的を達成する本発明の情報記憶装置は、複数の区域に分割された記録領域を有する、それらの区域にマークが書き込まれることにより情報が記録され、そのマークが読み出されることにより情報が再生される情報記録媒体に書き込まれているマークを読み出すマーク読出部と、
マーク読出部がマークの読み出しに失敗した場合に、上記複数の区域のうち、マーク読出部がマークの読み出しに失敗した失敗区域に隣接する隣接区域の記録状態を、その隣接区域に起因するクロストークが低下するように変更する記録状態変更部とを備え、
マーク読出部が、失敗区域のマークを、記録状態変更部によって隣接区域の記録状態が変更された後で再度読み出すものであることを特徴とする。
【００１７】
ここにいう「区域」とは、一般にセクタと称されるものであってもよく、あるいは、複数のセクタからなるブロックであってもよく、あるいは、セクタが複数に分割されてなるものであってもよい。また、セクタは円弧状であってもよく、あるいは直線状であってもよい。
【００１８】
本発明の情報記憶装置によれば、隣接区域の記録状態が、その隣接区域に起因するクロストークが低下するように変更されるので、失敗区域におけるマークの読出しが正常に行われることとなる。
【００１９】
本発明の情報記憶装置の記録状態変更部は、隣接区域に書き込まれたマークを消去するものであってもよく、あるいは、
隣接区域に書き込まれたマークに起因するクロストークよりも低いクロストークを生じるマークをその隣接区域に上書きするものであってもよい。
【００２０】
ここで、「低いクロストークを生じるマーク」とは、既存のマークよりもクロストークが実質的に低いものであればどのようなマークであってもよい。例えば、書込後の時間経過に伴ってマーク形状が変化してクロストークが増大した既存のマークを適切な書込条件で書き直したマークであってもよく、隣接区域上の既存のマークよりも長さが短いマークであってもよく、あるいはその既存のマークよりも幅が狭いマークであってもよい。また、既存のマークよりも幅が狭いマークは、既存のマークが書き込まれたパワーよりも弱いパワーでマークが書き込まれることによって容易に実現される。
【００２１】
また、本発明の情報記憶装置は、上記記録状態変更部が、隣接区域に記録されている情報を待避させてからその隣接区域の記録状態を変更し、その待避させた情報を、上記マーク読出部によって失敗領域のマークが再度読み出された後でその隣接区域に復元するものであることが好適である。
【００２２】
隣接区域に情報が記録されている場合には、隣接区域の記録状態の変更前後でその情報の待避と復元が行われることによって、その記録状態の変更による情報の消失が回避される。
【００２３】
さらに、本発明の情報記憶装置は、「上記情報記録媒体が、必要に応じて上記区域の代わりに用いられる交代区域を備えたものであり、
上記記録状態変更部が、隣接区域の記録状態を変更する前に、その隣接区域に記録されている情報の交代区域への待避と、その隣接区域の代わりとしてその交代区域を用いることの登録とを行うものである」ということが望ましい。
【００２４】
隣接区域に代えて交代区域を用いることが、記録状態の変更前に登録されるので、記録状態の変更時などに隣接区域に異常が生じた場合であっても、情報記録媒体の正常な使用が保証される。
【００２５】
上記目的を達成する本発明の情報再生方法は、複数の区域に分割された記録領域を有する、それらの区域にマークが書き込まれることにより情報が記録され、そのマークが読み出されることにより情報が再生される情報記録媒体に書き込まれているマークを読み出すマーク読出過程と、
マーク読出過程でマークの読み出しに失敗した場合に、上記複数の区域のうち、マーク読出過程でマークの読み出しに失敗した失敗区域に隣接する隣接区域の記録状態を、その隣接区域に起因するクロストークが低下するように変更する記録状態変更過程と、
失敗区域のマークを、記録状態変更過程で隣接区域の記録状態が変更された後で再度読み出すマーク再読出過程とを含むことを特徴とする。
【００２６】
なお、本発明の情報再生方法については、ここではその基本形態のみを示すのにとどめるが、これは単に重複を避けるためであり、本発明の情報再生方法には、上記の基本形態の情報再生方法のみではなく、前述した情報記憶装置の各形態に対応する各種の形態の情報再生方法が含まれる。
【００２７】
【発明の実施の形態】
以下、本発明の実施形態について説明する。以下の説明では、「情報」という言葉と「データ」という言葉とを区別せずに用いる場合がある。
【００２８】
図３は、本発明の情報記憶装置の一実施形態としての機能が組み込まれたＭＯディスク装置を示す図である。
【００２９】
このＭＯディスク装置１００は、情報記録媒体２００として光磁気（ＭＯ）ディスクを用いるものであり、この情報記録媒体２００の記録領域は、図１に示すようなセクタに区分されている。これらのセクタは、本発明にいう区域の一例である。また、この情報記録媒体２００には、セクタの予備を含むＤＭＡ（Ｄｅｆｅｃｔ  Ｍａｎａｇｅｍｅｎｎｔ  Ａｒｅａ）が設けられている。
【００３０】
図４は、情報記録媒体上に設けられたＤＭＡを示す図である。
【００３１】
情報記録媒体２００には、通常の記録領域２０１がドーナツ状に設けられているとともに、その記録領域２０１の内周および外周それぞれに沿ってＤＭＡ２０２が設けられている。このＤＭＡ２０２は、通常の記録領域２０１に含まれているセクタの予備として用いられるセクタの集合からなる交代領域を含むものであるとともに、通常の記録領域２０１に含まれているセクタの代わりとして、交代領域を構成するセクタを用いることが登録されるものである。この交代領域を構成するセクタは、本発明にいう交代区域の一例である。
【００３２】
図３に戻って説明をつづける。
【００３３】
情報記録媒体２００は、スピンドルモータ１１０によって保持される。このスピンドルモータ１１０の回転駆動は、ＭＰＵ（Ｍｉｃｒｏ  ＰｒｏｃｅｓｓｏｒＵｎｉｔ）１２０によって制御される。このＭＰＵ１２０は、不揮発性メモリ１２１に記憶されたプログラムに従って動作し、ＤＲＡＭ１２２を作業領域として利用する。
【００３４】
また、ＭＯディスク装置１００にはレーザダイオードユニット１３０が備えられており、情報再生時には、レーザダイオードユニット１３０から所定強度のレーザ光が発せられる。そのレーザ光の強度は、ディテクタ群１３１に含まれたモニタフォトディテクタによってモニタされ、そのモニタフォトディテクタで得られたモニタ信号に基づいてライト回路１３２によって制御される。そして、そのレーザ光は、ポジショナ１４０に搭載された対物レンズ１４１によって情報記録媒体２００上に照射され、情報記録媒体２００に書き込まれているマークに応じた反射光を生じる。その反射光が、ディテクタ群１３１に含まれたＩＤ／ＭＯ用ディテクタによって受光されてＩＤ信号およびＭＯ信号が検出される。それらＩＤ信号およびＭＯ信号は、リード回路１３３に入力され、再生データとデータ解析用のクロック信号に変換される。従って、レーザダイオードユニット１３０やリード回路１３３によって、本発明にいうマーク読出部の一例が構成されている。リード回路１３３によって得られた再生データは、光ディスクコントローラ１３４を介して、コンピュータなどといった上位装置のインターフェースへと送られる。
【００３５】
一方、情報記録時には、上位装置のインターフェースから光ディスクコントローラ１３４を介して記録データが送られて来て、データ書込用のクロック信号と共にライト回路１３２に入力される。また、情報記録媒体２００の初期化（フォーマット）時には、光ディスクコントローラ１３４でフォーマットデータが生成されて、データ書込用のクロック信号と共にライト回路１３２に入力される。ライト回路１３２は、バスを介してＭＰＵ１２０によって制御されるとともにデータ書込用のクロック信号に同期して動作し、記録データおよびフォーマットデータを変調してレーザダイオード駆動電流に変換する。そのレーザダイオード駆動電流がレーザダイオードユニット１３０に入力されてレーザ光が発せられる。
【００３６】
また、情報記録時およびフォーマット時には、電磁石１５０に電流が供給されて情報記録媒体２００上に記録磁界が発生される。そして、この記録磁界と、上述した書込信号に応じたレーザ光の熱によって情報記録媒体２００に情報が記録され、あるいは情報記録媒体２００がフォーマットされる。
【００３７】
電磁石１５０、レーザダイオード１３０、ライト回路１３２、対物レンズ１４１、ＭＰＵ１２０などによって、本発明にいう記録状態変更部の一例が構成されている。
【００３８】
また、ＭＯディスク装置１００には、対物レンズ１４１を駆動するレンズアクチュエータ１４２が備えられており、上述したポジショナ１４０は、対物レンズ１４１およびレンズアクチュエータ１４２を搭載して情報記録媒体２００の表面に沿って移動する。ポジショナ１４０およびレンズアクチュエータ１４２には、ドライバ１４３によってトラックフォーカス制御電流が供給されて制御される。ドライバ１４３は、ＤＳＰ（Ｄｉｇｉｔａｌ  Ｓｉｇｎａｌ  Ｐｒｏｃｅｓｓｏｒ）１４４からＤ／Ａ変換回路１４５を介して入力される制御信号に応じたトラックフォーカス制御電流を出力する。また、ＤＳＰ１４４は、ディテクタ群１３１によって得られるトラッキングエラーシグナル（ＴＥＳ）およびフォーカスエラーシグナル（ＦＥＳ）を、Ａ／Ｄ変換回路１４６を介して取り込んで解析し、解析結果に基づいた制御信号をドライバ１４３に入力する。
【００３９】
不揮発性メモリ１２１にはＤＳＰ１４４の動作を表すプログラムも記憶されており、ＤＲＡＭ１２２は、ＤＳＰ１４４の作業領域としても利用される。
【００４０】
以下、マークの読出しに失敗した場合に実行されるリードリトライ処理について、フローチャートを参照しながら説明する。
【００４１】
図５は、リードリトライ処理の第１例を表すフローチャートである。
【００４２】
このリードリトライ処理の第１例が開始されると、情報記録媒体２００上のセクタのうちＭＯディスク装置１００がマークの読出しに失敗した失敗セクタに隣接する隣接セクタのデータが交代領域に登録されて待避される（ステップＳ１０１）。そして、隣接セクタに起因するクロストークを低減する、その隣接セクタに記録されているデータの破壊を伴う第１種低減処理が実行される（ステップＳ１０２）。この第１種低減処理の内容については後で詳述する。
【００４３】
第１種低減処理が実行された後は、上記失敗セクタのマークが再度読み出され（ステップＳ１０３）、隣接セクタのデータが復元されて（ステップＳ１０４）、リードリトライ処理が終了する。
【００４４】
このようなリードリトライ処理によれば、隣接セクタに起因するクロストークが低減されて正常なマークの読出しが行われることとなる。
【００４５】
上記ステップＳ１０２で実行される第１種低減処理としては、例えば、以下説明するような処理が考えられる。
【００４６】
第１種低減処理の第１例としては、隣接セクタに書き込まれているマークを消去する消去処理が考えられる。この消去処理は単純な処理であり、クロストークの原因となるマーク自体を消去するのでクロストークを確実に低減する事ができる。
【００４７】
第１種低減処理の第２例としては、隣接セクタに書き込まれているマークが発生するクロストークよりも低いレベルのクロストークを発生するマークをその隣接セクタに上書きする上書処理が考えられる。ＭＯディスクの場合には、上書処理としてマークの消去と書込みが行われ、必要に応じてマークのベリファイも行われる。この上書処理で隣接セクタに上書きされるマークとしては、例えば、隣接セクタに書き込まれているマークよりも長さや幅が小さいマークが考えられる。上述したように、第１種低減処理は隣接セクタに記録されているデータの破壊を伴う処理であり、ＲＯＭなどに予め記憶された所定のダミーデータが所定の書込条件で隣接セクタに上書きされることにより、既存のマークよりも長さや幅が小さいマークが得られる。マークの長さは、図３に示すレーザダイオード１３０の発光時間などで調整することができる。また、マークの幅は、ＭＯディスクの膜の温度コントロールによって調整することができ、レーザダイオード１３０のレーザパワーが環境温度に応じて制御されることによってその温度コントロールが実現される。
【００４８】
上記ステップＳ１０２で第１種低減処理の第２例によるマークの書き換えが実行される場合には、クロストークが十分に低減されるようなマーク長やマーク幅のマークが隣接セクタに書き込まれる。しかし、上記ステップＳ１０３で失敗セクタのマークの読出しに再度失敗した場合には、更にクロストークが低減されるように、例えばレーザダイオード１３０のレーザパワーが数％低減されてマークの書き換えが再度実行されることが望ましい。
【００４９】
図６は、マーク長が長いマークを示す図であり、図７は、マーク長が短いマークを示す図である。
【００５０】
図６および図７には、１本のグルーブ２１０と、そのグルーブ２１０を挟んだ２本のランド２２０，２３０が示されており、そのグルーブ２１０上にはマーク２４０，２５０が書き込まれている。ここでは、情報記録媒体に記録されるマークの長さには最大値（例えば８Ｔ）と最小値（例えば２Ｔ）が定められており、図６に示すマーク２４０は、マーク長の最大値に近い長いマーク長を有するマークであり、図７に示すマーク２５０は、マーク長の最小値に近い短いマーク長を有するマークである。最長のマーク長を有するマークはもっともクロストークを生じやすく、マーク長が短いマークほどクロストークは生じにくい。このため、図７に示すような短いマーク長のマーク２５０は、図６に示すような長いマーク長のマーク２４０が発生するクロストークのレベルよりも低いレベルのクロストークを発生する。
【００５１】
従って、隣接セクタに書き込まれているマークのマーク長よりも短いマーク長のマークをその隣接セクタに上書きすることにより、クロストークを低減することができる。
【００５２】
図８は、マーク幅が異なるマークを示す図である。
【００５３】
この図８には、図６や図７と同様に、１本のグルーブ２１０と、そのグルーブ２１０を挟んだ２本のランド２２０，２３０が示されている。また、ここでは、そのグルーブ２１０上に、互いにマーク幅が異なる３つのマーク２６０，２７０，２８０が示されている。これら３つのマーク２６０，２７０，２８０それぞれが書き込まれるときのレーザパワーは、マーク幅がもっとも狭いマーク２６０が書き込まれるときのレーザパワーがもっとも弱く、マーク幅がもっとも広いマーク２８０が書き込まれるときのレーザパワーがもっとも強い。また、これら３つのマーク２６０，２７０，２８０それぞれに起因するクロストークのレベルは、マーク幅がもっとも狭いマーク２６０に起因するクロストークのレベルが最も低く、マーク幅がもっとも広いマーク２８０に起因するクロストークのレベルが最も高い。
【００５４】
従って、隣接セクタに書き込まれているマークのマーク幅よりも狭いマーク幅のマークをその隣接セクタに上書きすることにより、クロストークを低減することができる。そのような狭いマーク幅のマークは、隣接セクタにマークが書き込まれたパワーよりも弱いパワーでマークを上書きすることで実現される。なお、各セクタのライトパワーが記憶されていて、そのライトパワーよりも弱いパワーでマークが上書きされてもよい。あるいは、簡略化のために、現在の最適パワーよりも低いパワーでマークが上書きされてもよい。この最適パワーは、所定のタイミングで更新されるものである。
【００５５】
図９は、第１種低減処理の第２例の効果を説明するグラフである。
【００５６】
このグラフの横軸は、マークが書き込まれたパワーを示しており、このグラフの縦軸は、そのマークが書き込まれたセクタに隣接するセクタのマークを読み出す際に生じた読出しエラーのエラーレートを示している。また、黒い四角が付された折れ線グラフ３１０は、図６に示す長いマーク２４０についての測定結果を表しており、白い四角が付された折れ線グラフ３２０は、図７に示す短いマーク２５０についての測定結果を表している。
【００５７】
エラーレートの許容レベルは、一般に約１０-3であり、黒い四角が付された折れ線グラフ３１０が示すエラーレートと、白い四角が付された折れ線グラフ３２０が示すエラーレートとの双方とも、ある程度パワーが低いときには許容レベル以下に達する。従って、ある程度低いパワーで隣接セクタにマークを上書きすることによって、隣接セクタに隣接する失敗セクタにおける正常なマーク読出しが保証されることとなる。
【００５８】
また、白い四角が付された折れ線グラフ３２０が許容レベル以下のエラーレートを示すパワー範囲の上限は、黒い四角が付された折れ線グラフ３１０が許容レベル以下のエラーレートを示すパワー範囲の上限を越えている。このため、マークを書き込むパワーが強い場合であっても、短いマークを隣接セクタに上書きすることによって、隣接セクタに隣接する失敗セクタにおける正常なマーク読出しが可能となる。
【００５９】
失敗セクタのマーク読み取りが失敗した原因がクロストークである場合には、この第１種低減処理による復旧の可能性は９０％〜１００％であると考えられる。
【００６０】
このように、第１種低減処理によって隣接セクタのクロストークを低減することができるが、この第１種低減処理では、隣接セクタに記録されているデータは破壊される。
【００６１】
これに対し、以下説明する第２種低減処理では、隣接セクタのクロストークが低減されるとともに、隣接セクタに記録されているデータが維持される。
【００６２】
一般に、セクタに記録されているデータは、そのセクタに書き込まれているマークの長さや間隔によって表されており、マークの幅は、データとは無関係であることが多い。そこで、この第２種低減処理では、隣接セクタに書き込まれているマークの長さや間隔と同じ長さや間隔を有するとともに、そのマークの幅よりも狭い幅を有する、正常な読出しが可能なマークがその隣接セクタに上書きされる。これにより、隣接セクタのクロストークが低減されるとともに、その隣接セクタに記録されているデータが維持される。
【００６３】
このような第２種低減処理は、隣接セクタのマークを、マーク書込に最適なレーザパワーで単に書き直すことで実現される場合が多いと考えられる。なぜなら、隣接セクタのマークに起因するクロストークによって失敗セクタのマーク読出しが妨げられるということは、即ち、隣接セクタのマークが、最適なレーザパワーで書き込まれたマークよりも大きな幅を有していると考えられるからである。
【００６４】
このような大きな幅のマークは、例えば以下に説明するような状況で生じ得る。
【００６５】
ＭＯディスクに書き込まれるマークの幅は、ＭＯディスクの膜の温度や記録磁界の強度に応じて変化するため、マーク書込に最適なレーザパワーは環境温度や記録磁界の強度などに応じて決定される。しかし、隣接セクタのマークが書き込まれる時の環境が許容限度に近い環境であるといった場合には、たとえ最適なレーザパワーでマークが書き込まれてもマーク幅が大きなマークが書き込まれてしまうということがあり得る。
【００６６】
また、書き込まれたマークの大きさは不変なものではなく、その後の時間経過に伴ってマークが大きくなる現象が知られている。このような現象によって、隣接セクタのマークが書き込まれる時には十分に小さい幅で書き込まれていても、失敗セクタのマークが読み出される際には大きな幅のマークが隣接セクタに生じていることもあり得る。
【００６７】
このような状況で生じたマーク幅の大きなマークは、現在時点でのマーク書込に最適なレーザパワーで書き直されることで十分に小さなマーク幅のマークとなって、クロストークも十分に低減されると考えられる。しかし、クロストークの確実な低減が望まれる場合には、例えば最適なレーザパワーよりも数％低いレーザパワーが採用されてもよく、あるいは、失敗セクタにおける再度の読出しが成功するまで、書込可能な範囲内でレーザパワーが複数回低減されてもよい。
【００６８】
このような第２種低減処理による復旧の可能性も９０％〜１００％であると考えられる。
【００６９】
図１０は、リードリトライ処理の第２例を表すフローチャートである。
【００７０】
このリードリトライ処理の第２例では、上述した第２種低減処理が実行され（ステップＳ２０１）、失敗セクタのマークが再度読み出されて（ステップＳ２０２）、そのままリードリトライ処理が終了する。
【００７１】
上述したように第２種低減処理では隣接セクタのデータが維持されるので、隣接セクタのデータの待避および復元は不必要である。
【００７２】
図１１は、リードリトライ処理の第３例を表すフローチャートである。
【００７３】
このリードリトライ処理の第３例が開始されると、隣接セクタのデータが交代領域に登録されて待避される（ステップＳ３０１）とともに、隣接セクタに替えて交代領域中のセクタが用いられることがＤＭＡに登録されてＤＭＡが更新される（ステップＳ３０２）。その後、上述した第１種低減処理が実行され（ステップＳ３０３）、失敗セクタのマークが再度読み出されて（ステップＳ３０４）、隣接セクタのデータが復元される（ステップＳ３０５）。
【００７４】
そして、隣接セクタのデータが正常に復元されると（ステップＳ３０６：Ｙｅｓ）、上記ステップＳ３０２における登録が抹消されてＤＭＡが更新され（ステップＳ３０７）、交代領域に登録されているデータが削除される（ステップＳ３０８）。これにより、交代領域の浪費が回避される。
【００７５】
一方、隣接セクタのデータが復元不能であった場合には（ステップＳ３０６：Ｎｏ）、上記ステップＳ３０１およびステップＳ３０２での登録を維持したままリードリトライ処理が終了する。これにより、隣接セクタに記録されていたデータを含めて正常な再生が保証される。
【００７６】
図１２は、リードリトライ処理の第４例を表すフローチャートである。
【００７７】
この図１２に示すリードリトライ処理の第４例が開始されると、図１３に示すリードリトライ処理の第３例と同様に、隣接セクタのデータが交代領域に登録される（ステップＳ４０１）とともに、隣接セクタに替えて交代領域中のセクタが用いられることがＤＭＡに登録されてＤＭＡが更新される（ステップＳ４０２）。その後、上述した第２種低減処理が実行され（ステップＳ４０３）、失敗セクタのマークが再度読み出される（ステップＳ４０４）。そして、上記ステップＳ４０２における登録が抹消されてＤＭＡが復元されて（ステップＳ４０５）、リードリトライ処理が終了する。
【００７８】
上述したように、第２種低減処理では、隣接セクタのデータが維持されるので、上記ステップＳ４０１およびステップＳ４０２における登録は一見無駄に見える。しかし、第２種低減処理の最中には、電源の切断などによる異常終了が生じる場合があり、上記ステップＳ４０１およびステップＳ４０２における登録が行われていると、このような異常終了が生じた場合であっても情報記録媒体のデータが安全である。つまり、この図１２に示すリードリトライ処理の第４例は、データの安全性が非常に高い処理である。
【００７９】
図１３は、リードリトライ処理の第５例を表すフローチャートである。
【００８０】
この図１３に示すリードリトライ処理の第５例では、隣接セクタのデータが交代領域に登録される（ステップＳ５０１）とともに、隣接セクタに替えて交代領域中のセクタが用いられることがＤＭＡに登録されてＤＭＡが更新される（ステップＳ５０２）。その後、上述した第１種低減処理が実行され（ステップＳ５０３）、失敗セクタのマークが再度読み出される（ステップＳ５０４）。ここまでは、図１１に示すリードリトライ処理の第３例と全く同様な手順であるが、第５例では、このままリードリトライ処理が終了する。
【００８１】
隣接セクタは、他のセクタにおけるマーク読出しを妨げるような強いクロストークを発生するセクタであるので、このセクタにデータを復元すると再びマーク読出しを妨げる可能性がある。そこで、この第５例では、隣接セクタのクロストークを低減させたまま、かつ、隣接セクタを交代領域のセクタと交代させたままリードリトライ処理が終了する。
【００８２】
図１４は、リードリトライ処理の第６例を表すフローチャートである。
【００８３】
隣接セクタのデータを交代領域などに登録するためには、その隣接セクタのデータを再生する必要がある。しかし、この隣接セクタにおけるデータ再生も、その隣接セクタに更に隣接するセクタが発生するクロストークによって妨げられることが考えられる。
【００８４】
そこで、この図１４に示すリードリトライ処理の第６例では、最初にマークの読出しに失敗した失敗セクタを起点として、情報記録媒体の外周方向および中心方向それぞれについて、マークの読出しが成功するまで次々と隣のセクタへと移りながらマークの読出しを行う（ステップＳ６００，Ｓ６１０）。
【００８５】
ステップＳ６００では、最初にマークの読出しに失敗した失敗セクタに付された番号を変数ｎの初期値とする。そして、変数ｎの値を１０減らすことにより、外周側に隣接するセクタを示す番号を得（ステップＳ６０１）、第ｎ番セクタのマークを読み出す（ステップＳ６０２）。マーク読出しに失敗すると（ステップＳ６０３：Ｎｏ）、マーク読出しの試行回数が所定値以内である限りにおいて（ステップＳ６０４：Ｙｅｓ）、上記ステップＳ６０１に戻り、更に外周側のセクタについて同様な手順が繰り返される。また、マーク読出しの試行回数が所定値を越えた場合には（ステップＳ６０４：Ｎｏ）、もはや正常なマーク読出しは不可能であると見なされて。リードエラー処理が実行される（ステップＳ６０５）。
【００８６】
上記ステップＳ６０３で、マークの読出しが正常に終了したと判定された場合には、失敗セクタの外周側に隣接するセクタから、最終的に正常な読出しに成功したセクタまでの一連のセクタに代わり、交代領域のセクタが用いられることが登録されてＤＭＡが更新され（ステップＳ６０６）、それら一連のセクタそれぞれについて、マークの読出し、データの待避および第１種低減処理が実行される（ステップＳ６０７）。この結果、これら一連のセクタすべてについてクロストークが低減される。
【００８７】
ステップＳ６１０では、失敗セクタよりも中心方向に存在する一連のセクタに対して、ステップＳ６００と同様な手順が実行される。
【００８８】
このようにして、失敗セクタを起点として、情報記録媒体の外周方向および中心方向それぞれについて一連のセクタのデータが待避されるとともに、それらのセクタのクロストークが低減される。
【００８９】
その後、失敗セクタのマークが再度読み出され（ステップＳ６２０）、上記一連のセクタのデータが復元され（ステップＳ６３０）、ＤＭＡも復元されて（ステップＳ６４０）、リードリトライ処理が終了する。
【００９０】
このようなリードリトライ処理の第６例によれば、強いクロストークを発生するセクタが連続している場合であっても、セクタのマークを正常に読み出すことができる。
【００９１】
なお、上記実施形態では、隣接セクタなどのデータは交代領域に待避されるが、本発明の情報記憶装置は、交代領域以外の場所にデータを待避するものであってもよい。
【００９２】
また、上記実施形態では、マークを書き込むパワーとしてレーザパワーを例示したが、本発明にいうパワーは、磁場の強度などであってもよい。
【００９３】
また、上記実施形態では、情報記憶媒体として光記録方式の光磁気ディスクが用いられるが、本発明にいう情報記憶媒体は、光磁気記録方式、相変化記録方式、および磁気記録方式といった各記録方式の光磁気ディスクであってもよく、光ディスクや磁気ディスクといった他のディスク型記憶媒体であってもよく、あるいは、カード型やテープ型の記憶媒体であってもよい。
【００９４】
また、本発明にいう区域は、上記実施形態で例示したセクタであってもよく、あるいは複数のセクタからなるブロックでもよく、あるいはセクタを更に分割したものであってもよい。
【００９５】
（付記１）  複数の区域に分割された記録領域を有する、該区域にマークが書き込まれることにより情報が記録され、そのマークが読み出されることにより情報が再生される情報記録媒体に書き込まれているマークを読み出すマーク読出部と、
前記マーク読出部がマークの読み出しに失敗した場合に、前記複数の区域のうち、該マーク読出部がマークの読み出しに失敗した失敗区域に隣接する隣接区域の記録状態を、その隣接区域に起因するクロストークが低下するように変更する記録状態変更部とを備え、
前記マーク読出部が、前記失敗区域のマークを、前記記録状態変更部によって前記隣接区域の記録状態が変更された後で再度読み出すものであることを特徴とする情報記憶装置。
【００９６】
（付記２）  前記記録状態変更部が、前記隣接区域に書き込まれたマークを消去するものであることを特徴とする付記１記載の情報記憶装置。
【００９７】
（付記３）  前記記録状態変更部が、前記隣接区域に書き込まれたマークに起因するクロストークよりも低いクロストークを生じるマークを該隣接区域に上書きするものであることを特徴とする付記１記載の情報記憶装置。
【００９８】
（付記４）  前記記録状態変更部が、前記隣接区域に書き込まれたマークよりも長さが短いマークを該隣接区域に上書きするものであることを特徴とする付記１記載の情報記憶装置。
【００９９】
（付記５）  前記記録状態変更部が、前記隣接区域に書き込まれたマークよりも幅が狭いマークを該隣接区域に上書きするものであることを特徴とする付記１記載の情報記憶装置。
【０１００】
（付記６）  前記記録状態変更部が、前記隣接区域にマークが書き込まれたパワーよりも弱いパワーで該隣接区域にマークを上書きするものであることを特徴とする付記１記載の情報記憶装置。
【０１０１】
（付記７）  前記記録状態変更部が、前記隣接区域に記録されている情報を待避させてから該隣接区域の記録状態を変更し、その待避させた情報を、前記マーク読出部によって前記失敗領域のマークが再度読み出された後で該隣接区域に復元するものであることを特徴とする付記１記載の情報記憶装置。
【０１０２】
（付記８）  前記情報記録媒体が、必要に応じて前記区域の代わりに用いられる交代区域を備えたものであり、
前記記録状態変更部が、該隣接区域の記録状態を変更する前に、前記隣接区域に記録されている情報の前記交代区域への待避と、該隣接区域の代わりとして該交代区域を用いることの登録とを行うものであることを特徴とする付記１記載の情報記憶装置。
【０１０３】
（付記９）  前記記録状態変更部は、前記交代区域に待避させた情報を、前記マーク読出部によって前記失敗領域のマークが再度読み出された後で前記隣接区域に復元するものであるとともに、その情報を復元することに成功した場合には前記登録を抹消し、その情報を復元することに失敗した場合にはその登録を維持するものであることを特徴とする付記８記載の情報生成装置。
【０１０４】
（付記１０）  複数の区域に分割された記録領域を有する、該区域にマークが書き込まれることにより情報が記録され、そのマークが読み出されることにより情報が再生される情報記録媒体に書き込まれているマークを読み出すマーク読出過程と、
前記マーク読出過程でマークの読み出しに失敗した場合に、前記複数の区域のうち、該マーク読出過程でマークの読み出しに失敗した失敗区域に隣接する隣接区域の記録状態を、その隣接区域に起因するクロストークが低下するように変更する記録状態変更過程と、
前記失敗区域のマークを、前記記録状態変更過程で前記隣接区域の記録状態が変更された後で再度読み出すマーク再読出過程とを含むことを特徴とする情報再生方法。
【０１０５】
（付記１１）  前記記録状態変更過程が、前記隣接区域に書き込まれたマークを消去するものであることを特徴とする付記１０記載の情報再生方法。
【０１０６】
（付記１２）  前記記録状態変更部が、前記隣接区域に書き込まれたマークに起因するクロストークよりも低いクロストークを生じるマークを該隣接区域に上書きするものであることを特徴とする付記１０記載の情報再生方法。
【０１０７】
（付記１３）  前記記録状態変更過程が、前記隣接区域に書き込まれたマークよりも長さが短いマークを該隣接区域に上書きするものであることを特徴とする付記１０記載の情報再生方法。
【０１０８】
（付記１４）  前記記録状態変更過程が、前記隣接区域に書き込まれたマークよりも幅が狭いマークを該隣接区域に上書きするものであることを特徴とする付記１０記載の情報再生方法。
【０１０９】
（付記１５）  前記記録状態変更過程が、前記隣接区域にマークが書き込まれたパワーよりも弱いパワーで該隣接区域にマークを上書きするものであることを特徴とする付記１０記載の情報再生方法。
【０１１０】
（付記１６）  前記隣接区域に記録されている情報を前記記録状態変更過程の前に待避させる待避過程と、
前記待避過程で待避された情報を、前記マーク再読出過程の後で前記隣接区域に復元する復元過程も含むことを特徴とする付記１０記載の情報再生方法。
【０１１１】
（付記１７）  前記情報記録媒体が、必要に応じて前記区域の代わりに用いられる交代区域を備えたものであり、
前記隣接区域に記録されている情報の前記交代区域への待避と、該交代区域を該隣接区域の代わりとして用いることの登録とを行う待避過程を含むことを特徴とする付記１０記載の情報再生方法。
【０１１２】
（付記１８）  前記交代区域に待避された情報を前記隣接区域に復元するとともに、その情報を復元することに成功した場合には前記登録を抹消し、その情報を復元することに失敗した場合にはその登録を維持する復元過程も含むことを特徴とする付記１７記載の情報再生方法。
【０１１３】
【発明の効果】
以上説明したように、本発明の情報記憶装置によれば、トラックピッチが０．６５μｍ以下と狭くても、クロストークに妨げられることなくマークを読み出すことができる。
【０１１４】
本発明の技術が用いられると、トラックピッチの縮小化が図られた場合であってもマークの読出しが正常に行われるため、情報記録媒体の高密度化を大きく前進させることができる。
【図面の簡単な説明】
【図１】ランド及びグルーブ記録が採用された情報記録媒体上のセクタを表す図である。
【図２】クロストークの例を示すグラフである。
【図３】本発明の情報記憶装置の一実施形態としての機能が組み込まれたＭＯディスク装置を示す図である。
【図４】情報記録媒体上に設けられたＤＭＡを示す図である。
【図５】リードリトライ処理の第１例を表すフローチャートである。
【図６】マーク長が長いマークを示す図である。
【図７】マーク長が短いマークを示す図である。
【図８】マーク幅が異なるマークを示す図である。
【図９】第１種低減処理の第２例の効果を説明するグラフである。
【図１０】リードリトライ処理の第２例を表すフローチャートである。
【図１１】リードリトライ処理の第３例を表すフローチャートである。
【図１２】リードリトライ処理の第４例を表すフローチャートである。
【図１３】リードリトライ処理の第５例を表すフローチャートである。
【図１４】リードリトライ処理の第６例を表すフローチャートである。
【符号の説明】
１００    情報記録装置
１１０    スピンドルモータ
１２０    ＭＰＵ（Ｍｉｃｒｏ  Ｐｒｏｃｅｓｓｏｒ  Ｕｎｉｔ）
１２１    不揮発性メモリ
１２２    ＤＲＡＭ
１３０    レーザダイオードユニット
１３１    ディテクタ群
１３２    ライト回路
１３３    リード回路
１３４    光ディスクコントローラ
１４０    ポジショナ
１４１    対物レンズ
１４２    レンズアクチュエータ
１４３    ドライバ
１４４    ＤＳＰ（Ｄｉｇｉｔａｌ  Ｓｉｇｎａｌ  Ｐｒｏｃｅｓｓｏｒ）
１４５    Ｄ／Ａ変換回路
１５０    電磁石
１４６    Ａ／Ｄ変換回路
２００    情報記録媒体
２０１    通常の記録領域
２０２    ＤＭＡ（Ｄｅｆｅｃｔ  Ｍａｎａｇｅｍｅｎｎｔ  Ａｒｅａ）
２１０    グルーブ
２２０，２３０    ランド
２４０，２５０，２６０，２７０，２８０    マーク
Ｓｃｔ０，Ｓｃｔ１，…    セクタ
【図１】
0003842544.tif 000002
【図２】
0003842544.tif 000003
【図３】
0003842544.tif 000004
【図４】
0003842544.tif 000005
【図５】
0003842544.tif 000006
【図６】
0003842544.tif 000007
【図７】
0003842544.tif 000008
【図８】
0003842544.tif 000009
【図９】
0003842544.tif 000010
【図１０】
0003842544.tif 000011
【図１１】
0003842544.tif 000012
【図１２】
0003842544.tif 000013
【図１３】
0003842544.tif 000014
【図１４】
0003842544.tif 000015